(57)【要約】  本発明の一実施形態は、一例としてモバイルコンピューティング装置用の、ハードウェアアーキテクチャを含む。このアーキテクチャは、一部の例において異なる解像度及び帯域幅要求を有する１つ以上の表示パネルの間で共有されるように構成されることが可能な物理層を含む。共有物理層を用いることは、複数の表示装置（例えば、２つのディスプレイを有するスマートフォン）のために典型的に必要とされる複数の物理層のうちの１つを除去する。一実施形態において、１つの物理層が２つ以上の基準クロックレーンを含み、そうすることで、データレーンを２つ以上のリンクの間で共有することができる。共有物理層はディスプレイドライバを介して構成され得る。他の実施形態もここに記載される。
2014534454.tif 000002
【特許請求の範囲】
【請求項１】
第１、第２及び第３のデータレーンを含むオープンシステムインターコネクション（ＯＳＩ）モデルの物理層を有し、
（ａ）第１の構成において、前記第１、第２及び第３のデータレーンが同時に第１のディスプレイと通信し、（ｂ）第２の構成において、前記第１及び第２のデータレーンが前記第１のディスプレイと通信し、同時に前記第３のデータレーンが第２のディスプレイと通信するよう、単一の前記物理層が、前記第１のディスプレイと前記第２のディスプレイとの間で共有されるように構成される、
装置。
【請求項２】
前記第１及び第２のディスプレイは相異なる解像度を有する、請求項１に記載の装置。
【請求項３】
前記相異なる解像度は相異なる帯域幅を必要とする、請求項２に記載の装置。
【請求項４】
前記第２の構成において、前記第１のデータレーンは前記第１のディスプレイ用のデータを通信し、同時に、前記第３のデータレーンは、前記第１のディスプレイ用の前記データとは異なる前記第２のディスプレイ用の更なるデータを通信する、請求項１に記載の装置。
【請求項５】
当該装置は第１及び第２のクロックレーンを更に有し、前記第２の構成において、前記第１のクロックレーンは前記第１のディスプレイ用のタイミングデータを供給し、同時に、前記第２のクロックレーンは、前記第２のディスプレイ用の更なるタイミングデータを供給する、請求項１に記載の装置。
【請求項６】
当該装置は、それぞれ前記第１及び第２のディスプレイ用の第１及び第２のディスプレイコントローラと、マルチプレクサロジックとを含み、該ロジックは、前記第１のディスプレイと前記第２のディスプレイとの間で前記第１、第２及び第３のデータレーンを分割するように構成可能である、請求項１に記載の装置。
【請求項７】
当該装置は、それぞれ前記第１及び第２のディスプレイ用の第１及び第２のディスプレイコントローラと、マルチプレクサロジックとを含み、該ロジックは、前記第１及び第２のディスプレイに関する帯域幅要求に基づいて前記第１のディスプレイと前記第２のディスプレイとの間で前記第１、第２及び第３のデータレーンを分割するように構成可能である、請求項１に記載の装置。
【請求項８】
前記ロジックは、前記第１の構成と前記第２の構成との間で当該装置を変化させるように動的に構成可能である、請求項７に記載の装置。
【請求項９】
前記物理層は第４のデータレーンを含み、前記第１の構成において、前記第４のデータレーンは、不使用であり、且つ使用禁止にゲーティングされる、請求項１に記載の装置。
【請求項１０】
第１及び第２のデータレーンを含む単一の物理層と、
第１及び第２のディスプレイと、
第１及び第２のコントローラと
を有し、
（ａ）第１の構成において、前記第１及び第２のデータレーンが同時に第１のディスプレイと通信し、（ｂ）第２の構成において、前記第１のデータレーンが前記第１のディスプレイと通信し、同時に前記第２のデータレーンが第２のディスプレイと通信するよう、前記単一の物理層が前記第１のディスプレイと前記第２のディスプレイとの間で共有される、
システム。
【請求項１１】
前記第１及び第２のディスプレイは、それぞれ異なる帯域幅を必要とする相異なる解像度を有する、請求項１０に記載のシステム。
【請求項１２】
前記第１のディスプレイと前記第２のディスプレイとの間で前記第１及び第２のデータレーンを分割するように構成可能なマルチプレクサロジック、を含む請求項１０に記載のシステム。
【請求項１３】
前記ロジックは、前記第１の構成と前記第２の構成との間で装置を変化させるように動的に構成可能である、請求項１２に記載のシステム。
【請求項１４】
当該システムは第１及び第２のクロックレーンを更に有し、前記第２の構成において、前記第１のクロックレーンは前記第１のディスプレイ用のタイミングデータを供給し、同時に、前記第２のクロックレーンは、前記第２のディスプレイ用の更なるタイミングデータを供給する、請求項１０に記載のシステム。
【請求項１５】
前記物理層は第３のデータレーンを含み、前記第１の構成において、前記第３のデータレーンは、不使用であり、且つ使用禁止にゲーティングされる、請求項１０に記載のシステム。
【請求項１６】
第１、第２及び第３のデータレーンを含む物理層を含んだ装置を準備することであり、単一の該物理層が第１のディスプレイと第２のディスプレイとの間で共有される、準備することと、
第１及び第２の構成のうちの一方に前記装置を構成することと
を有し、
（ａ）前記第１の構成においては、前記第１、第２及び第３のデータレーンが同時に前記第１のディスプレイと通信し、（ｂ）前記第２の構成においては、前記第１及び第２のデータレーンが前記第１のディスプレイと通信し、同時に前記第３のデータレーンが第２のディスプレイと通信する、
方法。
【請求項１７】
前記第１及び第２のディスプレイは、それぞれ異なる帯域幅を必要とする相異なる解像度を有する、請求項１６に記載の方法。
【請求項１８】
前記第１及び第２の構成のうちの一方から前記第１及び第２の構成のうちの他方へと前記装置を動的に再構成すること、を含む請求項１６に記載の方法。
【請求項１９】
前記装置は、それぞれ前記第１及び第２のディスプレイ用の第１及び第２のディスプレイコントローラと、マルチプレクサロジックとを有し、当該方法は更に、前記第１のディスプレイと前記第２のディスプレイとの間で前記第１、第２及び第３のデータレーンを分割するように該ロジックを構成することを含む、請求項１６に記載の方法。
【請求項２０】
前記物理層は第４のデータレーンを含み、当該方法は更に、前記第４のデータレーンが不使用である間、前記第４のデータレーンを使用禁止にゲーティングすることを含む、請求項１６に記載の方法。
【発明の詳細な説明】
【技術分野】
【０００１】
本開示は、コンフィギュラブル（構成可能）な物理層に関する。
【背景技術】
【０００２】
国際標準化機構による開放型システム間相互接続（オープンシステムインターコネクション）（ＩＳＯ／ＯＳＩ）モデルは、通信ネットワークを介して複数のコンピュータが情報を交換するためサービス階層及びインタラクションタイプを標準化する階層化アーキテクチャである。ＩＳＯ／ＯＳＩモデルは、コンピュータ間通信を、各レベルがそれより下位のレベルに含まれる規格の上に築かれる７つのレベルすなわち階層に分離している。それら７階層のうちの最上位は、アプリケーションプログラムレベルでのソフトウェアインタラクションを取り扱う。逆に、最下位レベルは“物理層”（ＰＨＹ）であり、これは、ハードウェア指向であって、通信し合うコンピュータ間の物理的なリンクの構築及び維持の観点を取り扱う。仕様の中で、配線、電気信号及び機械的接続が物理層で取り扱われている。
【０００３】
ＭＩＰＩ(Mobile  Industry  Processor  Interface)は、モバイル（移動）コンピューティング装置の規格を設定する一団体である。スマートフォン、携帯情報端末、ラップトップ、タブレット、そして、より一般的にはモバイルコンピューティング装置は、ますます、１つ以上のＭＩＰＩ設定準拠表示パネルを用いて設計されるようになってきている。１つの装置に複数の表示パネルが含められるとき、各ディスプレイがそれぞれ、他の１つ以上のディスプレイとは異なるサイズ及び／又は解像度を有することがある。
【０００４】
複数のパネルの各々がＭＩＰＩリンク（ソース同期インタフェース）を必要とし得る。故に、これまで、ディスプレイごとに異なる物理層が必要とされてきた。例えば、クラムシェル型ディスプレイは典型的に、２つの別個の物理層を有する２つのディスプレイコントローラを必要とする。それらの物理層はそれぞれ、相異なるディスプレイに向けられる相異なるピクセルストリームをサポートするために、相異なる固定帯域幅を有する。このように複数のディスプレイのために複数の物理層を必要とすることは、電力、空間及びコストの点で非効率である。
【発明の概要】
【発明が解決しようとする課題】
【０００５】
一態様によれば、共有される物理層を含む装置が提供される。
【課題を解決するための手段】
【０００６】
一態様において、装置は、第１、第２及び第３のデータレーンを含むオープンシステムインターコネクション（ＯＳＩ）モデルの物理層を有し、（ａ）第１の構成において、前記第１、第２及び第３のデータレーンが同時に第１のディスプレイと通信し、（ｂ）第２の構成において、前記第１及び第２のデータレーンが前記第１のディスプレイと通信し、同時に前記第３のデータレーンが第２のディスプレイと通信するよう、単一の前記物理層が、前記第１のディスプレイと前記第２のディスプレイとの間で共有されるように構成される。
【図面の簡単な説明】
【０００７】
本発明の実施形態の特徴及び利点が、添付の請求項、以下の１つ以上の実施形態例の詳細な説明、及び以下の図を含む対応図面から明らかになる。
【図１】モバイルコンピューティング装置の従来の物理層を示す図である。
【図２】本発明の一実施形態における物理層を示すブロック図である。
【図３】本発明の一実施形態における物理層を示すブロック図である。
【図４】本発明の一実施形態における方法を示すフロー図である。
【発明を実施するための形態】
【０００８】
以下の説明において数多くの具体的詳細事項が説明されるが、本発明の実施形態はそれらの具体的詳細事項を用いずにも実施され得る。本開示の理解を不明瞭にしないよう、周知の回路、構造及び技術については詳述していない。“一実施形態”、“様々な実施形態”、及びこれらに類するものは、そのように記載された実施形態が特定の機能、構造又は特徴を含み得ることを指し示すものであり、必ずしも全ての実施形態がその特定の機能、構造又は特徴を含むわけではない。一部の実施形態は、他の実施形態に関して記載される特徴のうちの一部又は全てを有していてもよいし、それらの特徴を全く有していなくてもよい。“第１”、“第２”、“第３”及びこれらに類するものは共通のものを記述するとともに、同様のものの相異なる個体を参照していることを指し示す。そのような形容詞は、そのように記載されるものが、時間的あるいは空間的の何れかで、ランク順で、あるいは何らかのその他の点で、所与の順序になければならないことを意味するものではない。“接続される”は、要素が互いに直接的に物理的接触又は電気的接触することを指し示し得る。“結合される”は、要素が互いに協働あるいは相互作用することを指し示し得るが、直接的に物理的接触又は電気的接触していることもあれば、そうでないこともある。また、複数の異なる図において、同一あるいは同様の部分を指し示すために同様あるいは同一の参照符号を用いることがあるが、そうすることは、同様あるいは同一の参照符号を含む全ての図が単一あるいは同一の実施形態を構成するなどということを意味するものではない。
【０００９】
本発明の一実施形態は、単なる一例としてモバイルコンピューティング装置用の、ハードウェアアーキテクチャを含む。このアーキテクチャは、（必ずしもそうではないが）異なる解像度及び／又は帯域幅要求を有し得る１つ以上の表示パネルの間で共有されるように構成（後に再構成）されることが可能な単一の物理層を含む。共有物理層を用いることは、複数の表示装置（例えば、スマートフォン）のために典型的に必要とされる複数の物理層のうちの１つを除去する。一実施形態において、１つの物理層が（一部の従来の構成で見受けられる１つのクロックレーンに代えて）２つ以上の基準クロックレーンを含み、そうすることで、独立した複数のディスプレイの各々に関する独立したタイミング制約を維持しながら、データレーンを２つ以上のリンクの間で共有することができる。共有物理層はディスプレイドライバを介して構成され得る。
【００１０】
図１は、モバイルコンピューティング装置１０５の２つの独立した別々の従来物理層を含んでいる。コントローラ１１０が、全てが最終的にはディスプレイ１２０を駆動するものであるクロックレーン１１５及びデータレーン１１６、１１７、１１８を駆動する。コントローラ１５０が、全てが最終的にはディスプレイ１６０を駆動するものであるクロックレーン１５５及びデータレーン１５６、１５７、１５８を駆動する。故に、物理層１８０がディスプレイ１２０を駆動する一方で、物理層１８０とは別個の物理層１８１がディスプレイ１６０を駆動する。ディスプレイ１２０、１６０はＭＩＰＩディスプレイとし得る。各ディスプレイが、独立したピクセルストリームをサポートするために専用のＭＩＰＩ物理リンクを必要とする。必要とされるこれら二重の物理層は相当のダイ面積を消費してしまう。
【００１１】
図２は、本発明の一実施形態における物理層のブロック図を含んでいる。装置２０５は、コントローラ２１０及び２１１とディスプレイ２２０及び２６０とを含んでいる。コントローラ２１０はクロックレーン２１５並びにデータレーン２１６及び２１７を駆動する。コントローラ２１１はクロックレーン２５５を駆動する。ディスプレイ２２０及び２６０とコントローラ２１０、２１１との間でデータレーン２１８及び２１９を共有するように、マルチプレクサ２６０、２６１がプログラム可能にされる。これは、例えば、（１）全てのデータレーン（２１６、２１７、２１８、２１９）がディスプレイ２２０を用いる単一の表示装置用にディスプレイコントローラ２１０に割り当てられる、（２）データレーン２１６、２１７、２１８をディスプレイコントローラ２１０及びディスプレイ２２０に割り当て、且つデータレーン２１９を表示装置２６０用のディスプレイコントローラ２１１に割り当てることができる（すなわち、２つのアクティブディスプレイを備えた装置）、及び（３）２つの独立したディスプレイを備えるよう、データレーン２１６、２１７をディスプレイコントローラ２１０及びディスプレイ２２０に割り当て、且つデータレーン２１８、２１９を表示装置２６０用のディスプレイコントローラ２１１に割り当てることができる、などの様々な使用構成を可能にする。
【００１２】
一実施形態において、様々なデータレーンを双方向とし得る。例えば、データレーン２１６及び２１９を双方向として、デュアルモード構成にて受信データパスを提供し得る。一実施形態において、例えばデータレーン２１９は、全てのデータレーン（２１６、２１７、２１８及び２１９）が単一のアクティブ表示装置用にディスプレイコントローラ２１０に割り当てられる構成では単方向にされ得るが、これらのデータレーンの一部がコントローラ２１０に割り当てられ且つその他がコントローラ２１１に割り当てられる構成では双方向にされ得る。
【００１３】
一実施形態において、ディスプレイドライバによって複数の異なる構成がプログラムされる。これは、２つの独立したディスプレイをディスプレイの新たな帯域幅要求に基づいて再プログラムする必要があるとき（例えば、ディスプレイが交換されるとき、又は表示コンテンツが変化するとき）に有益となり得る。ディスプレイドライバは、例えば、００（４つのレーン全てがコントローラ２１０（ポート又はチューブＡ）用に設定され、コントローラ２１１（ポート又はチューブＣ）用の残りの如何なるレーンも無効化される）；０１（３つのデータレーンがポートＡ／コントローラ２１０用に設定され、１つのデータレーンがポートＣ／コントローラ２１１用に設定される）；１０（ポートＡ及びＣの各々が２つのデータレーンを有する）；１１（予備）などの論理設定を提供し得る。これら２つの設定ビットは一実施形態において論理ストラップによって設定され得る。
【００１４】
図２は、ＭＩＰＩ  Ｄ−ＰＨＹ構成に合わせて構成される一実施形態を含んでいる。Ｄ−ＰＨＹは、データとともにクロック信号の伝送を必要とするソース同期システムである。これは、高速モード及び低電力モードという２つの動作モードを有する。高速モードは低振幅（ロースイング）差動シグナリングを使用し、低電力モードはＬＶＣＭＯＳレベル振幅を使用する。しかしながら、図２の実施形態は、ＭＩＰＩ  Ｄ−ＰＨＹ準拠のアーキテクチャを用いた動作に限定されるものではない。
【００１５】
図３は、ＭＩＰＩ  Ｍ−ＰＨＹ構成に準拠する一実施形態での物理層のブロック図を含んでいる。Ｍ−ＰＨＹは、データストリーム自体にクロックデータを埋め込む非同期システムである。例えば、３ＧｂｐｓのＭ−ＰＨＹサブリンクは、等価なＤ−ＰＨＹシステムが信号数の４倍（３データレーン＋１クロックレーン）を必要とし得るのに対し、２つの信号（１データレーン）のみを必要とし得る。Ｍ−ＰＨＹプロトコルは、高いデータレート（例えば、６Ｇｂｐｓ以上）を可能にし得る。しかしながら、図３の実施形態は、ＭＩＰＩ  Ｍ−ＰＨＹ準拠のアーキテクチャを用いた動作に限定されるものではない。
【００１６】
図３は具体的に、本発明の一実施形態における物理層のブロック図を含んでいる。装置３０５は、コントローラ３１０及び３１１とディスプレイ３２０及び３６０とを含んでいる。コントローラ３１０はデータレーン３１６及び３１７を駆動する。ディスプレイ３２０及び３６０とコントローラ３１０、３１１との間でデータレーン３１８及び３１９を共有するように、マルチプレクサ３６０、３６１がプログラム可能にされる。これは、例えば、（１）全てのデータレーン（３１６、３１７、３１８、３１９）が単一の表示装置（例えば、ディスプレイ３２０）用にディスプレイコントローラ３１０に割り当てられる、（２）データレーン３１６、３１７、３１８をディスプレイコントローラ３１０及びディスプレイ３２０に割り当て、且つデータレーン３１９を表示装置３６０用のディスプレイコントローラ３１１に割り当てることができる（すなわち、２つの独立したディスプレイ）、及び（３）データレーン３１６、３１７をディスプレイコントローラ３１０及びディスプレイ３２０に割り当て、且つデータレーン３１８、３１９を表示装置３６０用のディスプレイコントローラ３１１に割り当てることができる（すなわち、２つの独立したディスプレイ）、などの様々な使用構成を可能にする。
【００１７】
とりわけ、本発明の実施形態は、多様なプログラム可能な構成を有する複数のディスプレイ（２、３、４、５、及び６など）に拡張されることができる。
【００１８】
図４は、本発明の一実施形態における方法のフロー図を含んでいる。ブロック４０５及び４１０にて、複数のディスプレイをサポートする必要があるかが決定される。単一のディスプレイのみがサポートを要する場合、ブロック４１５にて（共有されることが可能な４つのデータレーンが単一の物理層内に存在すると仮定して）、第１、第２及び第３のデータレーン（必要とされる帯域幅がこれで十分である場合）が同時に第１のディスプレイと通信するように装置が構成される。この構成プロセスは、例えばマルチプレクサ及び／又はその他の切り換え技術に関するロジックなどのプログラム可能ロジックによって行われ得る。ブロック４２０にて、単一のアクティブディスプレイに割り当てられない第４のレーン又は更なるレーンが、例えば電力を節減するよう、ゲート制御され得る。
【００１９】
一方、複数のディスプレイがサポートを要する場合、ブロック４２５にて、例えば、第１及び第２のデータレーンが第１のディスプレイと通信しながら、同時に第３のデータレーン（又は、それより多く）が第２のディスプレイと通信するように、ロジックが構成され得る。ブロック４３０にて、独立したデータストリームがこれらのディスプレイに送信される。例えば、第１のディスプレイが、２つのデータレーンを介して送られたデータに基づいてグラフィカルユーザインタフェース（ＧＵＩ）（例えば、電子メール又はインターネットブラウザ）を表示しながら、第２のディスプレイが、別の２つのデータレーンを介して送られたデータに基づいてスポーツイベントのライブ放送を表示し得る。第１のディスプレイは、例えば、スポーツイベントを示す第２のディスプレイより低い帯域幅及び／又は解像度をＧＵＩが必要とする場合には、より少ないデータレーンを割り当てられてもよい。
【００２０】
第１のディスプレイが他のディスプレイより高い帯域幅及び／又は解像度を必要とするように帯域幅及び／又は解像度の要求が“ひっくり返った”場合、第２のディスプレイより多くのデータレーン及び帯域幅が第１のディスプレイを対象とするようデータレーンを再分配するように、ロジック（例えば、マルチプレクサ及び／又はディスプレイドライバ）を“動的に”プログラムし直すことができる。
【００２１】
故に、実施形態は、異なる構成ごとにカスタムなダイ設計を作成することを必要とせずに、単一あるいは複数のディスプレイＭＩＰＩインタフェース要求に合わせて構成され得る。実施形態は、ディスプレイの帯域幅要求に基づいてディスプレイに或る数のデータレーンを割り当てる柔軟性を有する。実施形態はまた、不使用データレーンを電力節減のために使用禁止にゲーティングし得る。さらに、実施形態は、複数のディスプレイコントローラ及びディスプレイが同じ物理層を共有することができるので、大面積の節減を提供し得る。
【００２２】
従って、一実施形態は、第１、第２及び第３のデータレーンを含んだＯＳＩモデル物理層を含む。（ａ）第１の構成においては、第１、第２及び第３のデータレーンが同時に第１のディスプレイと通信し、（ｂ）第２の構成においては、第１及び第２のデータレーンが第１のディスプレイと通信しながら、同時に第３のデータレーンが第２のディスプレイと通信するよう、単一の物理層が第１及び第２のディスプレイの間で共有される。
【００２３】
例えば、第１及び第２のディスプレイが異なる解像度を有することに基づいて、装置又はシステムがユーザによって動的に再構成され得る。図２に関して、ディスプレイ２２０がディスプレイ２６０より高い解像度及び／又は高い帯域幅を必要とする場合、ユーザは、より多くのデータレーンがディスプレイ２２０に向けられ、且つより少ないデータレーンがディスプレイ２６０に向けられるように、データレーンを構成し得る。この構成設定はデバイスドライバによって行われ得る。他の実施形態において、構成設定は、ハードウェア設定及び／又はファームウェア設定によって行われ得る。一部の実施形態において、幾つのディスプレイが装置内にあるかを決定するための発見（ディスカバリ）が行われ得る。実施形態は更に、それらのディスプレイに関する帯域幅及び／又は解像度の要求の発見に携わり得る。上述の発見の何れかに基づいて、一実施形態は自動的にデータレーンの物理層分割を構成設定し得る。例えば、使用されるべき２つのディスプレイが存在すること、及び第１のディスプレイが第２のディスプレイより大きい帯域幅及び／又は解像度を必要とすることを発見すると、一実施形態は自動的に、より低い帯域幅／解像度のディスプレイにではなく、より高い帯域幅／解像度のディスプレイに、より多くのデータレーンを誘導あるいは献上し得る。
【００２４】
一実施形態において、複数のディスプレイ間でレーンを共有する構成にて、第１のデータレーンが第１のディスプレイにデータを伝達し、同時に第３のデータレーンが、第１のディスプレイ用のデータとは異なる更なるデータを第２のディスプレイと通信してもよい。故に、この実施形態は、２つのディスプレイ間でビデオを“分割”するだけでなく、それに代えて、２つの異なるデータストリームを２つの異なるディスプレイ上に表示し得る。例えば、第１のディスプレイ上の第１の画像（例えば、ＧＵＩ）が、第２のディスプレイ上の第２の画像（例えば、スポーツイベント）と同時に表示され得る。
【００２５】
一実施形態は、第１及び第２のクロックレーンを含み（例えば、ＭＩＰＩ  Ｄ−ＰＨＹ格子柄において）、一構成において、第１のクロックレーンが第１のディスプレイ用のタイミングデータを供給し、同時に第２のクロックレーンが第２のディスプレイ用の更なるタイミングデータを供給する。
【００２６】
一実施形態は、それぞれ第１及び第２のディスプレイ用の第１及び第２のディスプレイコントローラと、マルチプレクサロジックとを含む。ロジックは、第１及び第２のディスプレイに関する帯域幅要求に基づいて第１のディスプレイと第２のディスプレイとの間で第１、第２及び第３のデータレーンを分割するように（例えば、ディスプレイドライバ、ファームウェア、ハードウェア設定などを介して）構成可能である。一実施形態において、ロジックは、１つ以上のディスプレイ間での複数のレーン共有／分配構成の間で装置を変化させるように動的に構成可能である。“動的に構成可能”であることにより、実施形態は、複数の異なるディスプレイ間でデータレーンをどのように分割するかにおいて異なる複数の異なる構成のために、異なるダイを必要とすることはない。複数のダイを必要とすることの代わりに、“動的”とは、例えばデバイスドライバ、ファームウェア設定、及び一般ハードウェア設定に基づいて、複数の構成が実現され（例えば、全てのレーンを単一のディスプレイに）、切り換えられ（例えば、一部のレーンを１つのディスプレイに、そして他のレーンを別の１つのディスプレイに）、反転され（全てのレーンを単一のディスプレイに）得ることを意味する。
【００２７】
一実施形態において、物理層は第４のデータレーンを含み得る。第１の構成において、第４のデータレーンは不使用にされ得る。このような場合、この構成は、第４のレーンが使用禁止にゲーティングすることによって電力を節減するように設定され得る。
【００２８】
様々なＭＩＰＩ規格との関係で実施形態を説明したが、他の実施形態はＭＩＰＩ又はその他の如何なる特定の規格に限定されない。
【００２９】
実施形態は、コードにて実装されて、当該命令を実行するようにシステムをプログラムするように使用されることが可能な命令を格納する非一時的な記憶媒体に格納されてもよい。記憶媒体は、以下に限られないが、フロッピー（登録商標）ディスク、光ディスク、ソリッドステートドライブ（ＳＳＤ）、コンパクトディスク読み出し専用メモリ（ＣＤ−ＲＯＭ）、書き換え可能コンパクトディスク（ＣＤ−ＲＷ）、磁気光ディスク、半導体デバイス（読み出し専用メモリ（ＲＯＭ）、ダイナミックランダムアクセスメモリ（ＤＲＡＭ）やスタティックランダムアクセスメモリ（ＳＲＡＭ）などのランダムアクセスメモリ（ＲＡＭ）、消去可能プログラム可能読み出し専用メモリ（ＥＰＲＯＭ）、フラッシュメモリ、電気的消去可能プログラム可能読み出し専用メモリ（ＥＥＰＲＯＭ）など）、磁気カード若しくは光カード、又は電子的な命令を格納することに適したその他の種類の媒体を含み得る。ここでは、例えば命令、関数、プロシージャ、データ構造、アプリケーションプログラム、コンフィギュレーション設定及びコードなどのデータを参照して本発明の実施形態を説明している。データが機械によってアクセスされるとき、機械は、ここに詳細に記載されたように、タスクを実行し、抽象的なデータタイプを定め、低レベルハードウェアコンテキストを構築し、及び／又はその他の処理を実行することによって応答し得る。データは揮発性データストレージ及び／又は不揮発性データストレージに格納され得る。用語“コード”又は“プログラム”は、アプリケーション、ドライバ、プロセス、ルーチン、メソッド、モジュール及びサブプログラムを含む広範囲のコンポーネント及び構図に及ぶものであり、処理システムによって実行されるときに所望の１つ以上の処理を実行する如何なる命令の集合をも意味し得る。また、他の実施形態は、開示された処理の全てより少ない処理を使用するプロセス、追加の処理を使用するプロセス、同じ処理を異なる順序で使用するプロセス、及びここに開示された個々の処理が結合、細分あるいはその他の方法で変更される処理を含み得る。コンポーネント又はモジュールは、所望のように結合あるいは分離されてもよく、また、装置の１つ以上の部分に位置付けられてもよい。
【００３０】
限られた数の実施形態に関して本発明を説明してきたが、これらの実施形態からの数多くの変更及び変形が当業者によって認識されるであろう。意図されることには、添付の請求項は、本発明の真の精神及び範囲に入るそのような全ての変更及び変形に及ぶものである。
【図１】
2014534454.tif 000003
【図２】
2014534454.tif 000004
【図３】
2014534454.tif 000005
【図４】
2014534454.tif 000006
【手続補正書】
【提出日】平成26年3月19日(2014.3.19)
【手続補正１】
【補正対象書類名】特許請求の範囲
【補正対象項目名】全文
【補正方法】変更
【補正の内容】
【特許請求の範囲】
【請求項１】
第１、第２及び第３のデータレーンを含むオープンシステムインターコネクション（ＯＳＩ）モデルの物理層と、
（ａ）第１の構成において、前記第１、第２及び第３のデータレーンが同時に第１のディスプレイと通信し、（ｂ）第２の構成において、前記第１及び第２のデータレーンが前記第１のディスプレイと通信し、同時に前記第３のデータレーンが第２のディスプレイと通信するよう、前記第１のディスプレイと前記第２のディスプレイとの間で単一の前記物理層を共有する手段と、
を有するディスプレイ用の装置。
【請求項２】
前記第１及び第２のディスプレイは相異なる解像度を有する、請求項１に記載の装置。
【請求項３】
前記相異なる解像度は相異なる帯域幅を必要とする、請求項２に記載の装置。
【請求項４】
前記第２の構成において、前記第１のデータレーンを介して前記第１のディスプレイ用のデータを通信し、同時に、前記第３のデータレーンを介して、前記第１のディスプレイ用の前記データとは異なる前記第２のディスプレイ用の更なるデータを通信する手段、を有する請求項１に記載の装置。
【請求項５】
当該装置は第１及び第２のクロックレーンを更に有し、前記物理層は、前記第２の構成において、前記第１のクロックレーンが前記第１のディスプレイ用のタイミングデータを供給し、同時に、前記第２のクロックレーンが、前記第２のディスプレイ用の更なるタイミングデータを供給するための手段を有する、請求項１に記載の装置。
【請求項６】
当該装置は、それぞれ前記第１及び第２のディスプレイ用の第１及び第２のディスプレイコントローラと、マルチプレクサロジックとを含み、前記物理層は、前記第１のディスプレイと前記第２のディスプレイとの間で前記第１、第２及び第３のデータレーンを分割するように該ロジックを構成する手段を有する、請求項１に記載の装置。
【請求項７】
当該装置は、それぞれ前記第１及び第２のディスプレイ用の第１及び第２のディスプレイコントローラと、マルチプレクサロジックとを含み、前記物理層は、前記第１及び第２のディスプレイに関する帯域幅要求に基づいて前記第１のディスプレイと前記第２のディスプレイとの間で前記第１、第２及び第３のデータレーンを分割するように該ロジックを構成する手段を有する、請求項１に記載の装置。
【請求項８】
前記物理層は第４のデータレーンを含み、前記第１の構成において、前記第４のデータレーンは、不使用であり、且つ使用禁止にゲーティングされる、請求項１に記載の装置。
【請求項９】
少なくとも１つのプロセッサによって実行される方法であって、
第１、第２及び第３のデータレーンを含む物理層を含んだ装置を準備することであり、単一の該物理層が第１のディスプレイと第２のディスプレイとの間で共有される、準備することと、
第１及び第２の構成のうちの一方に前記装置を構成することと
を有し、
（ａ）前記第１の構成においては、前記第１、第２及び第３のデータレーンが同時に前記第１のディスプレイと通信し、（ｂ）前記第２の構成においては、前記第１及び第２のデータレーンが前記第１のディスプレイと通信し、同時に前記第３のデータレーンが第２のディスプレイと通信する、
方法。
【請求項１０】
前記第１及び第２のディスプレイは、それぞれ異なる帯域幅を必要とする相異なる解像度を有する、請求項９に記載の方法。
【請求項１１】
前記第１及び第２の構成のうちの一方から前記第１及び第２の構成のうちの他方へと前記装置を動的に再構成すること、を含む請求項９に記載の方法。
【請求項１２】
前記装置は、それぞれ前記第１及び第２のディスプレイ用の第１及び第２のディスプレイコントローラと、マルチプレクサロジックとを有し、当該方法は更に、前記第１のディスプレイと前記第２のディスプレイとの間で前記第１、第２及び第３のデータレーンを分割するように該ロジックを構成することを含む、請求項９に記載の方法。
【請求項１３】
前記物理層は第４のデータレーンを含み、当該方法は更に、前記第４のデータレーンが不使用である間、前記第４のデータレーンを使用禁止にゲーティングすることを含む、請求項９に記載の方法。
【請求項１４】
前記装置は、それぞれ前記第１及び第２のディスプレイ用の第１及び第２のディスプレイコントローラと、マルチプレクサロジックとを含み、当該方法は更に、前記第１及び第２のディスプレイに関する帯域幅要求に基づいて前記第１のディスプレイと前記第２のディスプレイとの間で前記第１、第２及び第３のデータレーンを分割するように該ロジックを構成することを有する、請求項９に記載の方法。
【請求項１５】
前記装置は第１及び第２のクロックレーンを更に有し、当該方法は更に、前記第２の構成において、前記第１のクロックレーンを介して前記第１のディスプレイ用のタイミングデータを供給し、同時に、前記第２のクロックレーンを介して前記第２のディスプレイ用の更なるタイミングデータを供給することを有する、請求項９に記載の方法。
【請求項１６】
前記第２の構成において、前記第１のデータレーンを介して前記第１のディスプレイ用のデータを通信し、同時に、前記第３のデータレーンを介して、前記第１のディスプレイ用の前記データとは異なる前記第２のディスプレイ用の更なるデータを通信すること、を有する請求項９に記載の方法。
【請求項１７】
コンピューティング装置上で実行されることに応答して該コンピューティング装置に請求項９乃至１６の何れか一項に記載の方法を実行させる複数の命令、を有する少なくとも１つの機械読み取り可能媒体。
【請求項１８】
請求項９乃至１６の何れか一項に記載の方法を実行する手段を有する装置。
【国際調査報告】
2014534454.tif 000007
2014534454.tif 000008